(57)【要約】【課題】    クリスマス等のイベント用の装飾部材を住宅の外装に簡易に設置でき、イベントに合わせた装飾を手軽に行うことができる住宅の外装構造を提供する。【解決手段】  イベント用の装飾部材(11)を係止するための複数の係止部(10)(10)…を、軒樋用部材(２)(２)…等の建物の外周部に適当な間隔を空けて予め設ける。【選択図】  図１
2006022590.tif 000002
【特許請求の範囲】
【請求項１】
イベント用の装飾部材を係止するための複数の係止部を、建物の外周部に適当な間隔を空けて予め設けてなることを特徴とする住宅の外装構造。
【請求項２】
前記の外周部は、建物の軒先、軒裏、樋、胴差、バルコニー笠木、バルコニー面材、柱、又は庇のうち少なくともいずれか１つである請求項１記載の住宅の外装構造。
【請求項３】
前記の装飾部材は、複数の電飾用光源部とこれら光源部間を繋ぐ電飾用配線とからなり、それら電飾用配線が、前記係止部に係止可能とされている請求項１又は２記載の住宅の外装構造。
【請求項４】
前記係止部は、前記装飾部材を係止するためのフック、又はその装飾部材の一部若しくは装飾部材係止用の係止部材を挿通させるための係止用挿通穴である請求項１乃至３のいずれかに記載の住宅の外装構造。
【請求項５】
前記の外周部が、軒樋、又はその軒樋の一部若しくは全体の外周面を覆う軒樋用の部材であり、その軒樋又は軒樋用部材の外周面に前記係止部を設けてなる請求項１乃至４のいずれかに記載の住宅の外装構造。
【発明の詳細な説明】
【技術分野】
【０００１】
この発明は、クリスマス等のイベントにおいて、電飾等の装飾を行うのに適した住宅の外装構造に関する。
【背景技術】
【０００２】
近年、クリスマス等のイベントに合わせて、住宅の外装に電飾を行ったり、オーナメントを飾ったりすることによって、クリスマス等のイベントを盛り上げたいと考える居住者は多い。
【０００３】
しかし、従来の住宅の外装は、上記のような装飾が施されることを前提としておらず、例えば、居住者が外装に電飾を行う際において、外装には電飾用の配線を引っ掛けるフックなどが設けられていないため、居住者自身が用意した針金等で、軒先やバルコニー等に這わせた配線をそれら軒先等に巻き付けて固定するなどしていた。すなわち、そのような外装の装飾に際して、居住者がそれぞれ工夫を凝らして大変面倒な作業を行う必要があった。
【０００４】
なお、特許文献１には、上段の樋部と下段の配線収容部とからなる上下二段構成の軒樋を用いて、下段の配線収容部に太陽電池の出力ケーブルを収容した構成が記載されている。また、このように、雨樋に沿って設けられた配線収容部を利用することで、軒先に沿って容易に配線を行えるようにした構成は、特許文献１の他にも、例えば特許文献２及び特許文献３に開示されている。しかし、これら特許文献１乃至３の構成は、いずれも建物の外周において雨樋で隠しながら配線を通すためのものであって、電飾その他の装飾部材によって建物の外装を装飾するためのものではなかった。
【０００５】
【特許文献１】特開平９−１１９２０３号公報
【特許文献２】実開平５−６９２１７号公報
【特許文献３】特開平９−２１７４６９号公報
【発明の開示】
【発明が解決しようとする課題】
【０００６】
以上のように、従来は、電飾用の配線やオーナメント等を住宅の外装に簡易に設置できるような技術が存在せず、上記のようにイベントに合わせて建物を装飾したいと思っていても、そのための煩雑な作業が障害となって断念してきた居住者が多かったため、誰でも手軽に装飾作業を行うことができるような技術の開発が望まれていた。
【０００７】
そこで、この発明は、上記の不具合を解消して、クリスマス等のイベント用の装飾部材を住宅の外装に簡易に設置でき、イベントに合わせた装飾を手軽に行うことができる住宅の外装構造を提供することを目的とする。
【課題を解決するための手段】
【０００８】
上記の課題を解決するため、この発明における住宅の外装構造は、イベント用の装飾部材を係止するための複数の係止部を、建物の外周部に適当な間隔を空けて予め設けてなることを特徴とする。
【０００９】
具体的には、前記の外周部は、建物の軒先、軒裏、樋、胴差、バルコニー笠木、バルコニー面材、柱、又は庇のうち少なくともいずれか１つである。
【００１０】
さらに、前記の装飾部材は、複数の電飾用光源部とこれら光源部間を繋ぐ電飾用配線とからなり、それら電飾用配線が、前記係止部に係止可能とされている。
【００１１】
さらにまた、前記係止部は、前記装飾部材を係止するためのフック、又はその装飾部材の一部若しくは装飾部材係止用の係止部材を挿通させるための係止用挿通穴である。
【００１２】
より具体的には、前記の外周部が、軒樋、又はその軒樋の一部若しくは全体の外周面を覆う軒樋用の部材であり、その軒樋又は軒樋用部材の外周面に前記係止部を設けてなる。
【発明の効果】
【００１３】
この発明によれば、クリスマス等のイベント用の装飾を住宅の外装に施す際に、そのイベント用の装飾部材を、予め建物外周部に設けられた複数の係止部に係止させることで簡易に設置することができる。従って、装飾部材を設置する居住者が、自身で取付け方法を工夫したり、煩わしい作業を行う必要がなくなり、手軽に装飾作業を行うことができる。
【００１４】
また、具体的な係止部としてフックや係止用挿通穴を用いることで、電飾用配線等をフックに引っ掛けたり係止用挿通穴に挿通させるだけで、装飾部材の設置作業を極めて容易に行うことができる。
【００１５】
さらに、軒樋又は軒樋用部材の外周面に係止部を設けることで、簡単な作業によって、装飾部材を軒樋に沿って連続するように設置することができる。
【発明を実施するための最良の形態】
【００１６】
以下、この発明の実施形態を図面に基づいて詳細に説明する。この発明の一実施形態に係る住宅の外装構造では、図１に示すように、建物の軒先に、複数の軒樋固定金物(２)(２)…が桁行方向に間隔を空けて設けられている。それぞれの軒樋固定金物(２)は、図２に示すように、上向きに開放する断面略Ｕ字状に形成され、例えば軒先母屋(５)に固定されている。
【００１７】
このように軒先に固定された軒樋固定金物(２)(２)…には、軒樋(１)が上方から内嵌されて取り付けられている。すなわち、取付け状態において、軒樋固定金物(２)が、軒樋(１)の外周面を覆うようになっている。そして、軒樋固定金物(２)の外周面に、イベント用の装飾部材(11)(12)を係止するためのフック(10)が設けられている。
【００１８】
フック(10)は、例えば倒Ｕ字状に屈曲した形状とされ、そのフック(10)の両端が、例えば接着剤により軒樋固定金物(２)外周における屋外側の側面に取り付けられている。ただし、フック(10)の形状は特に限定されるものではなく、例えばＬ形に屈曲した形状のフックを用いるようにしても良い。また、フック(10)は、必ずしも軒樋固定金物(２)の側面に設ける必要はなく、軒樋固定金物(２)の下面に設けるようにしても良い。
【００１９】
軒樋固定金物(２)に対するフック(10)の取付けは、軒樋固定金物(２)の製造工場において行われるか、又は住宅施工の際に行われるものである。すなわち、居住者がイベントに向けて装飾を行う際には、建物の軒先において、予めフック(10)(10)…が軒樋(１)の長さ方向に適当な間隔を空けて設けられた状態となっている。従って、居住者は、これらのフック(10)(10)…を利用して、後述のように手軽に装飾作業を行うことができる。
【００２０】
なお、以上においては、軒樋固定金物(２)の外周面にフック(10)(10)…を設ける場合について説明したが、軒樋(１)の一部又は全体の外周が、軒樋固定金物(２)以外の軒樋用の部材で覆われている場合は、その軒樋用部材の外周面にフック(10)(10)…を設けるようにすれば良く、例えば、軒樋(１)の外周面が全長に亘って軒樋化粧材によって覆われている場合は、その軒樋化粧材の外周面にフック(10)(10)…を設けるようにすることが考えられる。
【００２１】
また、フック(10)(10)…は、必ずしも軒樋(１)外周面を覆う軒樋用部材に設ける必要はなく、軒樋(１)の外周面に設けるようにしても良い。さらに、建物の軒先において、軒樋(１)及び軒樋用部材以外の箇所にフック(10)(10)…を設けるようにしても良い。
【００２２】
さらにまた、フック(10)(10)…の取付け箇所は、建物の外周部であれば必ずしも軒先に限られず、例えば、建物の軒裏(６)、縦樋、胴差、バルコニーの笠木(８)、バルコニー面材(９)、柱、又は庇であっても良く、或いは、その他の建物外周部であっても良い。
【００２３】
図３は、バルコニーの笠木(８)にフック(10)(10)…を設ける場合の実施形態を示している。この図３に示す実施形態では、上記と同様の複数のフック(10)(10)…が、笠木(８)の屋外側の側面に、その笠木(８)の長さ方向に沿って適当な間隔を空けて予め設けられている。これらフック(10)(10)…の取付けは、笠木(８)の製造工場で行われるか、又は住宅施工の際に行われるため、居住者がイベントに向けて装飾を行う際には、バルコニーにおいて予めフック(10)(10)…が適当な間隔を空けて設けられた状態となっている。
【００２４】
以上の図１乃至図３に示す実施形態では、複数の電球等の電飾用光源部(12)(12)…と、これら光源部間(12)(12)…を繋ぐ電飾用配線(13)(13)…とからなる電飾用の装飾部材(11)を軒先やバルコニーに設置する際において、上記の各フック(10)(10)…に電飾用の配線(13)(13)…が係止可能となっている。
【００２５】
従って、電飾用配線(13)(13)…を適宜フック(10)(10)…に引っ掛けながら軒先やバルコニーに這わせるだけで、軒樋(１)やバルコニー笠木(８)の長さ方向に沿うようにして、極めて簡易に電飾用装飾部材(11)を設置できるようになっているため、住宅の外装において誰でも手軽に電飾を施すことができる。
【００２６】
また、上記のフック(10)(10)…には、図３に示すように、電飾用の装飾部材(11)の他にも、例えばクリスマス用のオーナメント(22)を係止することができるようになっている。つまり、オーナメント(22)が備えるひも状又はフック状の取付け部(23)を、上記フック(10)に引っ掛けるだけで、そのオーナメント(22)を容易に設置できるようになっている。なお、上記のフック(10)(10)…に係止可能な装飾部材の種類は特に限定されるものではなく、上記の電飾用の装飾部材(11)やオーナメント(22)に限られるものではない。
【００２７】
以上においては、係止部としてフック(10)(10)…を用いた場合について説明したが、それらフック(10)(10)…に代えて、図４乃至図６に示すように、装飾部材の一部若しくは装飾部材係止用の係止部材を挿通させるための係止用挿通穴(21)(21)…を設けるようにしても良い。
【００２８】
図４乃至図６に示す実施形態では、軒樋固定金物(２)の外周面に、一対の係止用挿通穴(21)(21)からなる係止部(20)が設けられている。一対の係止用挿通穴(21)(21)…は、軒樋(１)の長さ方向に僅かな間隔を空けて配置され、それぞれの係止用挿通穴(21)は、例えば軒樋(１)の長さ方向に長い長円状に形成されている。
【００２９】
これら係止用挿通穴(21)(21)…も、上記のフック(10)(10)…と同様、軒樋固定金物(２)の製造工場で形成されるか、又は住宅施工の際に形成されるものである。従って、居住者が外装の装飾を行う際には、建物の軒先において、一対の係止用挿通穴(21)(21)…からなる係止部(20)(20)…が、予め軒樋(１)の長さ方向に適当な間隔を空けて設けられた状態となっている。
【００３０】
係止用挿通穴(21)(21)…に電飾用配線(13)を係止する際は、図４に示すように、一対の係止用挿通穴(21)(21)のうち一方の挿通穴(21)に屋外側から屋内側に向かって挿通させた電飾用配線(13)を、他方の挿通穴(21)に屋内側から屋外側に向かって挿通させる。このようにして両方の係止用挿通穴(21)(21)に通された電飾用配線(13)は、それら挿通穴(21)(21)間における軒樋固定金物(２)の壁部に係止されるようになっており、これにより、電飾用配線(13)を、一対の係止用挿通穴(21)(21)に直接係止することができる。
【００３１】
また、係止用挿通穴(21)(21)…には、図６に示すように、電飾用配線(13)を間接的に係止させることもできる。すなわち、この場合は、例えばリング状のフックからなる係止部材(25)を、一対の係止用挿通穴(21)(21)に挿通させて係止させ、それら係止部材(25)(25)…に電飾用配線(13)を引っ掛けるようにする。
【００３２】
このように、電飾用配線(13)(13)…を係止用挿通穴(21)(21)…に直接又は間接的に係止させながら作業を行うことで、上記のフック(10)(10)…を用いる場合と同様に簡易に電飾用装飾部材(11)を設置できるようになっている。また、これら係止用挿通穴(21)(21)…には、上記フック(10)(10)…と同様、電飾用の装飾部材(11)以外にも、例えば図３に示すようなオーナメント(22)、又はその他の装飾部材を係止することができる。
【００３３】
さらに、これら係止用挿通穴(21)(21)…は、上記フック(10)(10)…と同様、建物の軒先における軒樋固定金物(２)以外の箇所、又は、軒先以外の建物外周部に設けるようにしても良い。
【００３４】
なお、この発明は、上記実施形態に限定されるものではなく、この発明の範囲内で上記実施形態に多くの修正及び変更を加え得ることは勿論である。
【図面の簡単な説明】
【００３５】
【図１】電飾用装飾部材をフックにより軒先へ設置した状態を示す斜視図である。
【図２】同じくその断面図である。
【図３】装飾部材をバルコニーへ設置した状態を示す斜視図である。
【図４】電飾用装飾部材を係止用挿通穴により軒先へ設置した状態を示す斜視図である。
【図５】同じくその断面図である。
【図６】電飾用装飾部材を間接的に係止用挿通穴へ係止した状態を示す斜視図である。
【符号の説明】
【００３６】
(１)  軒樋
(２)  軒樋固定金物(軒樋用部材)
(10)  フック
(11)(22)  装飾部材
(12)  電飾用光源部
(13)  電飾用配線
(21)  係止用挿通穴
【図１】
2006022590.tif 000003
【図２】
2006022590.tif 000004
【図３】
2006022590.tif 000005
【図４】
2006022590.tif 000006
【図５】
2006022590.tif 000007
【図６】
2006022590.tif 000008